(57)【要約】      （修正有）【課題】異なるマッサージ効果が得られるマッサージ装置を提供する。【解決手段】一つの駆動部品と二つの減速歯車、二つの偏心軸、二つの一方向ベアリング及び二つの受動部品から構成され、一つの駆動部品は、双方向駆動部品で両端の連動軸を連動させて回転させ、二つの減速歯車は駆動部品の両端に設けられ、駆動部品のトルクを増大して、過度の圧迫により受動部品によって駆動部品の回転が支障されることを防止し、二つの偏心軸は、一方向ベアリングを介して、駆動部品の両端にある連動軸に実装され、駆動部品により偏心回転を作動し、二つの一方向ベアリングは、駆動部品の両端にある連動軸に実装され、二つの受動部品は偏心軸の他端の偏心軸に実装され、上記の構造によりモータの正逆回転により異なるマッサージ部位が連動される機構を有する。【選択図】図２
0003142106.tif 000002
【実用新案登録請求の範囲】
【請求項１】
一つの駆動部品と二つの減速歯車、二つの偏心軸、二つの一方向ベアリング及び二つの受動部品から構成され、
一つの駆動部品は、双方向駆動部品で、両端の連動軸を連動させて回転させ、
二つの減速歯車は、駆動部品の両端に設けられ、駆動部品のトルクを増大して、過度の圧迫により、受動部品によって駆動部品の回転が支障されることを防止し、
二つの偏心軸は、一方向ベアリングを介して、駆動部品の両端にある連動軸に実装され、駆動部品により、偏心回転を作動し、
二つの一方向ベアリングは、駆動部品の両端にある連動軸に実装され、
二つの受動部品は、偏心軸の他端の偏心軸に実装されることを特徴とする、マッサージ装置。
【請求項２】
駆動部品は、双方向モータであることを特徴とする、請求項１に記載のマッサージ装置。
【請求項３】
一方向ベアリングは、一方向に回転可能的であり、駆動部品が作動されると、一端の一方向ベアリングが、連動軸の回転方向と異なるように連動されて回転し、他端が、連動軸により一方向ベアリングの回転方向と同じように内部でアイドルすることを特徴とする、請求項１に記載のマッサージ装置。
【考案の詳細な説明】
【技術分野】
【０００１】
本考案は、モータの正逆回転により異なるマッサージ部位が連動される機構に関し、特に、駆動部品の両端に実装される一方向ベアリングで、正回転と逆回転により異なるマッサージ効果が得られるものに関する。
【背景技術】
【０００２】
既存の、従来のマッサージ装置は、一つの駆動部品或いはモータを利用し、歯車群により偏心軸が連結され、偏心軸の上方にマッサージ部品が設けられ、駆動部品が回転する時、偏心軸の偏心回転によりマッサージ部品が回転力を発生して、マッサージの効果が得られるが、このような装置は、回転する時、一箇所のみに対してマッサージでき、他の部位に対するマッサージの効果や他種類のマッサージの効果が得られないため実用的とはいえない。
【考案の開示】
【考案が解決しようとする課題】
【０００３】
本考案の目的は、異なるマッサージ効果が得られるモータの正逆回転により異なるマッサージ部位が連動される機構を有するマッサージ装置を提供する。
【課題を解決するための手段】
【０００４】
本考案は、一つの駆動部品と二つの減速歯車、二つの偏心軸、二つの一方向ベアリング及び二つの受動部品から構成、一つの駆動部品が双方向駆動部品で、両方の連動軸を回転させ、また、駆動部品の両側に減速歯車が設置され、偏心軸が、一方向ベアリングにより駆動部品の両端にある連動軸に実装され、二つの受動部品が、ベアリングにより偏心軸の他端の偏心軸に実装されるモータの正逆回転により異なるマッサージ部位が連動される機構を有するマッサージ装置である。
【考案を実施するための最良の形態】
【０００５】
図１と図２を参照しながら、一つの駆動部品１０と二つの減速歯車２０、二つの一方向ベアリング３０、二つの偏心軸４０及び二つの受動部品５０、５１から構成され、一つの駆動部品１０が双方向駆動部品１０である双方向モータで、両方の連動軸２１を回転させ、また、駆動部品１０の両側に減速歯車２０が設置され、偏心軸４０が、一方向ベアリング３０により駆動部品１０の両端にある連動軸２１に実装され、二つの受動部品５０が、ベアリング４２により偏心軸４０の他端の偏心軸４１に実装され、上記の構造により、新規のモータの正逆回転により異なるマッサージ部位が連動される機構が構成される。
【０００６】
本考案によれば、図２と図４のように、その駆動部品１０は、双方向駆動部品１０で、両方の連動軸２１を回転させ、駆動部品１０の両端に減速歯車２０が設置され、該減速歯車２０により駆動部品１０のトルクが増大され、該偏心軸４０が、一方向ベアリング３０により駆動部品１０の連動軸２１に実装され、上記の一方向ベアリング３０が、逆に回転するように駆動部品１０の両端に実装され、駆動部品１０が正回転方向に回転する時、一端の一方向ベアリング３０が連動軸２１の回転方向と逆回転するため、連動軸２１により一方向ベアリング３０が回転され、他端に設置される一方向ベアリング３０が連動軸２１の回転方向と同じ方向に回転するため、内部でアイドルして、その偏心軸４０を回転させなく、また、逆回転する時、上記と逆になる。
【０００７】
駆動部品が正回転する時、図５と図６のように、その下方の一方向ベアリング３０の回転方向が連動軸２１の方向と逆になり、そのため、連動軸２１により一方向ベアリング３０が連動されて偏心軸４０が偏心回転力を発生し、その下受動部品５１に偏心軸４０の他端の偏心軸４１に実装されるベアリング４２が結合され、偏心軸４０により発生する力により下受動部品５１でマッサージの効果が得られ、その上方の一方向ベアリング３０が連動軸２１の運動方向と同じであるため、連動軸２１が一方向ベアリング３０内部でアイドルし、その偏心軸３０を連動させず、上受動部品５０が回転するようになる。
【０００８】
逆に、図７と図８のように、駆動部品３０が逆回転する時、その上方の一方向ベアリング３０の回転方向が連動軸２１の方向と逆になり、そのため、連動軸２１により一方向ベアリング３０が連動され、偏心軸３０により偏心回転力が発生され、その上受動部品５０に、偏心軸４０の他端の偏心軸４１に実装されるベアリング４２が結合され、偏心軸４０により発生した力により、上受動部品５０でマッサージの効果が得られ、その下方の一方向ベアリング３０が連動軸２１の運動方向と同じであるため、連動軸２１が一方向ベアリング内部でアイドルして、その偏心軸４０を連動させず、下受動部品５０が回転するようになる。
【０００９】
上記の具体的な実施例の構造によれば、次の利点が得られ、駆動部品１０の両端に設置される減速歯車２０により駆動部品１０のトルクが増大され、圧迫される時、減速歯車２０が設置されているため、その駆動部品１０がスムーズに作動でき、その駆動部品１０の両端に受動部品５０により偏心軸４０が設置され、偏心軸４０の内部に一方向ベアリング３０が実装され、また、二つの一方向ベアリング３０が、それぞれ異なる方向に作動するため、二箇所に対してマッサージすることができ、一方向ベアリング３０を設置することと駆動部品１０が正逆回転することにより、異なる部位にマッサージする機構を有するマッサージ装置が構成される。
【図面の簡単な説明】
【００１０】
【図１】本考案の一部の立体断面図
【図２】本考案の立体分解図
【図２−１】本考案の一方向ベアリングの拡大立体図
【図３】本考案の一部の断面正視図
【図４】本考案の一部の側断面図
【図５】本考案の駆動部品が正回転する時の作動概念図
【図６】本考案の駆動部品が正回転する時の他の作動概念図
【図７】本考案の駆動部品が逆回転する時の作動概念図
【図８】本考案の駆動部品が逆回転する時の他の作動概念図
【符号の説明】
【００１１】
１０      駆動部品
２０      減速歯車
２１      連動軸
３０      一方向ベアリング
４０      偏心軸
４１      偏心軸
４２      ベアリング
５０      上受動部品
５１      下受動部品
【図１】
0003142106.tif 000003
【図２】
0003142106.tif 000004
【図２−１】
0003142106.tif 000005
【図３】
0003142106.tif 000006
【図４】
0003142106.tif 000007
【図５】
0003142106.tif 000008
【図６】
0003142106.tif 000009
【図７】
0003142106.tif 000010
【図８】
0003142106.tif 000011